(57)【特許請求の範囲】
【請求項１】
無線通信システムにおける複数のチャネルに対する無線信号の強さの記録を維持する装置であって、当該装置は、
各チャネルにおける無線信号の強さを検出する測定手段、及び
検出した信号の強さに関する情報を記憶する記憶手段を有し、
前記情報は、各チャネルに対する値の形態で前記記憶手段に記憶され、各値は、チャネルにおいて各々検出した信号の強さを表すものであり、前記記憶手段は、アレイを含み、それら値は、前記アレイ内の各位置が特定のチャネルに割り与えられているような該アレイ内の各々の位置に記憶され、前記装置は更に、
前記検出した信号の強さのうち最大の信号の強さを搬送している第１のチャネルを識別するためのプロセッサ手段であって、前記最大の信号の強さを持つ信号が、前記第１のチャネルにおける同期ベアラをセットアップすることによりアクセス可能である第１の固定装置から送信されたものであるか否かを決定し、前記第１の固定装置がアクセス可能である場合に、前記第１の固定装置との通信のために、前記検出された信号の強さのうち最小の信号の強さを持つ、前記複数のチャネルのうちの第２のチャネルを選択するためのプロセッサ手段を有する、装置。
【請求項２】
前記アレイが二次元アレイである、請求項１に記載の装置。
【請求項３】
最大の検出した信号の強さを表す値を特定するために前記アレイを走査する手段を更に有する、請求項１又は２に記載の装置。
【請求項４】
前記プロセッサ手段は更に、前記最大の検出した信号の強さに対して次に大きな検出した信号の強さを表す信号を特定する、請求項１に記載の装置。
【請求項５】
最小の検出した信号の強さを表す値を特定するために前記アレイを走査する手段を更に有する、請求項１又は２に記載の装置。
【請求項６】
前記プロセッサ手段は更に、前記最小の検出した信号の強さに対して次に小さな検出した信号の強さを表す信号を特定する、請求項１に記載の装置。
【請求項７】
少なくとも一つの無線固定部を持つDECT規格に準拠する固定部との通信を確立するのに適したDECT規格に準拠する携帯部であって、請求項１乃至６の何れかに記載の装置が設けられたDECT規格に準拠する携帯部。
【請求項８】
請求項３又は４に従属する場合で、最大の信号の強さを表す値を持つものとして特定されたチャネルにおいて又は次いで大きな信号の強さの一つを表す値を持つものとして特定されたチャネルの一つにおいて受信し、所要の固定部の無線固定部から生じた伝送から、測定した信号の強さが発生していることを確立する手段を更に有する、請求項７に記載のDECT規格に準拠する携帯部。
【請求項９】
請求項５又は６に従属する場合で、ベアラを確立するために適しているものとして、最小の信号の強さを表す値を持つものとして特定されたチャネル又は次いで小さな信号の強さの一つを表す値を持つものとして特定されたチャネルの一つ以上を選択する手段を更に有する、請求項７に記載のDECT規格に準拠する携帯部。
【請求項１０】
無線通信システムにおける複数のチャネルに対する無線信号の強さの記録を維持する方法であって、当該方法は、
各チャネルにおける無線信号の強さを検出する工程、及び
検出した信号の強さに関する情報を記憶する工程を有し、
前記情報を記憶する工程は、各チャネルに対する、該チャネルにおいて検出した信号の強さを表す値を記憶することにより実行され、それら値は、アレイの各位置が特定のチャネルに割り与えられているような該アレイ内の各々の位置に記憶され、前記方法は更に、
前記検出した信号の強さのうち最大の信号の強さを搬送している第１のチャネルを識別するための工程であって、前記最大の信号の強さを持つ信号が、前記第１のチャネルにおける同期ベアラをセットアップすることによりアクセス可能である第１の固定装置から送信されたものであるか否かを決定し、前記第１の固定装置がアクセス可能である場合に、前記第１の固定装置との通信のために、前記検出された信号の強さのうち最小の信号の強さを持つ、前記複数のチャネルのうちの第２のチャネルを選択するための工程を有する、方法。
【請求項１１】
前記無線通信システムがDECT規格に準拠する通信システムであって、
最大の検出した信号の強さを表す値を特定するために前記アレイを走査する工程、
前記最大の検出した信号の強さを表す値を持つものとして特定されたチャネルに同期ベアラをセットアップする工程、及び
所要の固定部の無線固定部から生じる伝送から、測定した信号の強さが発生しているかどうかを決定する工程を更に有し、
測定した信号の強さがそのような伝送から発生していないことを決定した場合、前記同期ベアラを開放し、次に大きな検出した信号の強さの一つを表す値を持つものとして特定された一つ以上のチャネルに対してのみ前記走査工程、前記セットアップ工程及び前記決定工程を一回以上実行する、請求項１０に記載の方法。
【請求項１２】
前記無線通信システムがDECT規格に準拠する通信システムであって、最小の検出した信号の強さを表す値を特定するために前記アレイを走査する工程、及び一つ以上のベアラを確立するために一つ以上の関連するチャネルを選択する工程を更に有する、請求項１０に記載の方法。
【発明の詳細な説明】
【０００１】
【技術分野】
本発明は、無線通信システムにおける複数のチャネルに対する無線信号の強さを監視する方法及び装置に関する。とりわけ、しかしながら非排他的に、本発明は、DECT規格に準拠する通信システムにおけるそのような監視に関する。
【０００２】
【背景技術】
DECTは、欧州テレコミュニケーション標準規格ETS 300 175と関連する、Digital Enhanced Cordless Telecommunicationsの略語である。本発明は、とりわけ、DECT規格に準拠する通信システムとの関連を持ち、以後そのようなシステムに関連して記載されるが、当業者の読者は、ここに記載の方法及び装置がより一般に適用可能であり、明確に述べられていなければDECT標準規格の準拠を想定すべきではないと言うことを認識するであろう。
【０００３】
典型的なDECT規格に準拠する通信システムは、DECT固定部(DECT Fixed Part(FP))の無線固定部(radio fixed part(RFP))と無線リンクを介して通信する少なくとも一つの携帯部(Portable Part(PP))を含む。前記固定部は、PABX又はPSTN等の他の固定機器に接続されるであろう。FPはしばしば一つ以上のRFPを含み、各RFPは特定の領域の無線有効範囲を提供する役割を果たす。複数のRFPを用いることは、大きな無線有効範囲の領域を可能にし、PPは、同一の通信ファシリティが有効でありながら、あるRFPによりカバーされるある領域から他のRFPにより供給される領域に移動することが出来る。DECT PPは、通例モバイルハンドセットの形態を取り、システムの実施(implementation)に依存して、多数の携帯部をサポートすることが出来る。
【０００４】
固定部と携帯部との間の通信は、一つ以上のDECT物理チャネル（チャネル）上に確立されるいわゆる“ベアラ(bearers)”により提供される。各チャネルは、連続した時分割多重アクセス(TDMA)フレーム内のある特定の無線周波数(RF)チャネル上のある特定のスロットにおいて伝送することにより生成される。
【０００５】
DECT標準規格によれば、携帯部が活性化される場合、該携帯部は、範囲内にある如何なる近傍のRFPの存在を検出するオペレーションを実行することが義務付けられる。これは、DECT規格に準拠するシステムにおいて可能になる。なぜなら、各RFPが少なくとも一つのベアラで継続的にブロードキャストするからである。RFPブロードキャストのどのベアラも、Qチャネル情報（システム情報）及びNチャネル情報（アイデンティティ(identity)情報）を搬送する。この情報は、PPにより、RFPが、該PPがアクセス権を持つRFPであるかどうかを決定するために用いられる。RFPがPPとのトラヒック接続をサポートすることに関与しない場合、Qチャネル情報及びNチャネル情報はいわゆるダミーベアラでブロードキャストされる。RFPが一つ以上のPPとの一つ以上のトラヒック接続をサポートすることに関与する場合、Qチャネル情報及びNチャネル情報は各トラヒックベアラに存する。少なくとも一つのトラヒック接続をサポートするRFPは、ダミーベアラをドロップしても良い。しかしながら、もしも当該RFPとの全てのトラヒック接続が終了する場合には、ダミーベアラでのNチャネル情報及びQチャネル情報のブロードキャストを回復しなければならない。Nチャネル情報及びQチャネル情報は論理チャネルであり、DECT物理チャネルではないと言うことを明確化のために述べる。
【０００６】
PPの他のタスクは、最大の検出した無線信号の強さでPPにおいて受信されるRFPの伝送を特定することである。これらの伝送をもたらすRFPも特定され、最強のRFPとして指定される。最強のRFPは、通常、PPに最も近いRFPであろうし、如何なる場合もPPとFPとの間の通信は、最強のRFPを介するであろう。PPとFPとの間の有用な通信は、RFPに関連付けられたFPへのアクセス権をPPが持つ場合に選択されたRFPを介してのみ行われる。
【０００７】
最強のRFPを選択するプロシージャの一つは、PPがDECTシステムのチャネルを監視し、最大の検出した無線の強さを持つチャネルのリストを構築することである。それらチャネルは、最大の検出した無線信号の強さを持つチャネルが最初に現れるような、検出した無線信号の強さの順のリストに含まれる。
【０００８】
一度リストが生成されると、PPは、リストされた最大の無線信号の強さを持つチャネルに同期ベアラをセットアップすることを試みる。このベアラセットアップオペレーションは、検出した無線信号の強さが、関心のあるRFP、即ち、アクセス権がPPに承諾されるであろう所要のFPのRFPの伝送に起因するかどうかを決定するために必要である。実際のところ、この工程はまた、検出した無線信号のソースが、互換性のないシステムの伝送から生じているか、単にノイズに起因したものかもしれないと言う理由においても必要である。伝送が所要のFPと関連付けられていることをNチャネル情報及びQチャネル情報から確立することができる場合、PPがFPと同期及びロックして、交換するトラヒック（例えば、ボイスコール）のためにトラヒックベアラをセットアップ及び開放する準備が整った状態になることを可能にする更なるプロシージャが行われる。
【０００９】
伝送が所要のFPと関連付けられない場合、（セットアップの試みが成功した場合）同期ベアラは開放され、PPは、リストされた次に大きな検出した無線信号の強さを持つチャネルに同期ベアラをセットアップすることを試みる。再び、PPは、このチャネルが所要のFPからの伝送を搬送するかどうかを決定するために必要な工程を実行する。PPが所要のFPと同期及びロックすることを可能にする伝送を見つけるまでこのプロセスは繰り返される。しかしながら、以下図１に関して詳細に述べられるように、リストの大きさに係る制限が、所要のFPと関連付けられるあらゆるエントリを含まないリストをもたらすかもしれないので、このプロシージャは理想的なものではない。
【００１０】
最強のRFPを選択するためのプロシージャの他の例は、RFPがチャネルで検出した無線信号の強さに無関係に各DECTチャネルに次々に同期ベアラをセットアップすることを試みることである。これは、PPがアクセス権を持つFPのRFPから生じている伝送を該PPが検出するまで各チャネルに対して繰り返される。一度そのような伝送が見つけ出されると、PPは、同一のFPの伝送を搬送するが最大の検出した無線信号の強さを持つチャネルを探し出すまで各DECTチャネルのサーチを継続しなければならない。そのような伝送は、一般的に、関心のあるFPの最も近いRFPから生じるであろうし、その場合、PPは、RFPを同期及びロックし、交換するトラヒック（例えば、ボイスコール）のためにベアラをセットアップ及び開放する準備が整った状態になるための更なるプロシージャを行うことができる。
【００１１】
トラヒックベアラをセットアップ及び受信する準備が整った状態に到達するためにPPに必要とされる時間を含む、この他の例のプロシージャを実施することも不利である。なぜなら、同期ベアラをセットアップするための試みが、所要のFP及び最強のRFPが特定されたことを保証するために、ありうるDECTチャネルの全てになされる必要があるからである。
【００１２】
携帯部はまた、無線信号の強さの観点から最小のアクティビティを持つDECTチャネルの順位付けリストを保持することも必要とされる。これらのいわゆる最も静かなチャネル(quietest channels)は、PPがFPとの接続をセットアップする際にトラヒックベアラをサポートするために選択されるであろうチャネルである。
【００１３】
【発明の開示】
本発明の目的は、多量のメモリを用いることなく通信システムの構成要素の信頼性のある特定を促進するために用いることができる、無線通信システムにおける複数のチャネルに対する無線信号の強さの記録を維持する方法及び装置を提供することにある。
【００１４】
本発明の一つの特徴によれば、無線通信システムにおける複数のチャネルに対する無線信号の強さの記録を維持する装置であって、当該装置は、各チャネルにおける無線信号の強さを検出する測定手段、及び検出した信号の強さに関する情報を記憶する記憶手段を有し、前記情報は、各チャネルに対する値の形態で前記記憶手段に記憶され、各値は、チャネルにおいて各々検出した信号の強さを表すものであり、前記記憶手段は、アレイを含み、それら値は、前記アレイ内の各々の位置が特定のチャネルに割り与えられているような該アレイ内の各位置に記憶される装置が提供される。
【００１５】
信号の強さの情報が記憶される各チャネルのアイデンティティ(identity)を、アレイ内の記憶位置から決定することができる。なぜなら、様々なアレイ位置に対するチャネルの割り当てが既知だからである。有利なことに、チャネルに関する情報を記憶するために必要とされるメモリ量を削減することができる。なぜなら、チャネルのアイデンティティについての情報を記録する必要性無しに、当該チャネルの信号の強さに関する情報を記憶することしか要求されないからである。他の利点は、各チャネルの値が自身に割り当てられた位置に記憶されるので、それらチャネルが、検出した無線信号の強さの順にソートされる必要が無く、かくして処理資源(processing sources)をその様なタスクに割り当てる必要性を無くすと言うことである。
【００１６】
所定のチャネルについての情報を記憶するために必要とされるメモリ量の削減は、全てのDECTチャネルについての情報の記憶を実現可能にする。なぜなら、かなり少ない記憶容量しか必要とされないであろうからである。これは、非網羅的なリストを用いる場合に結果として生じるであろう不利な点を回避する。更に、アレイが全てのDECTチャネルに対する信号の強さの情報を含むことができるので、該アレイは最大の検出した信号の強さを表す値及び最小の検出した信号の強さを表す値を含む。結果として、単一のアレイが、最大の検出した無線信号の強さを持つチャネルの従来の順位付けリスト及び最小の検出した無線信号の強さを持つチャネルの順位付けリストと置き換わることができる。好ましくは(排他的にではないが)、アレイは二次元アレイである。有利なことに、アレイの各位置に記憶された値は、せいぜい１バイトの記憶容量しか占有しないであろう。
【００１７】
本発明の他の特徴によれば、無線通信システムにおける複数のチャネルに対する無線信号の強さの記録を維持する方法であって、当該方法は、各チャネルにおける無線信号の強さを検出する工程、及び検出した信号の強さに関する情報を記憶する工程を有し、前記情報を記憶する工程は、各チャネルに対する、該チャネルにおいて検出した信号の強さを表す値を記憶することにより実行され、それら値は、アレイの各位置が特定のチャネルに割り与えられているような該アレイ内の各々の位置に記憶される方法が提供される。
【００１８】
更に、当該方法の無線通信システムがDECT規格に準拠する通信システムである場合、該方法は、最大の検出した信号の強さを表す値を特定するために前記アレイを走査する工程、前記最大の検出した信号の強さを表す値を持つものとして特定されたチャネルに同期ベアラをセットアップする工程、及び測定した信号の強さが所要の固定部の無線固定部から生じる伝送から発生しているかどうかを決定する工程を更に有し、測定した信号の強さがそのような伝送から発生していないことを決定した場合、前記同期ベアラを開放し、次に大きな検出した信号の強さの一つを表す値を持つものとして特定された一つ以上のチャネルに対してのみ前記走査工程、前記セットアップ工程及び前記決定工程を一回以上実行するような方法であっても良い。
【００１９】
更に、当該方法の無線通信システムがDECT規格に準拠する通信システムである場合、該方法は、最小の検出した信号の強さを表す値を特定するために前記アレイを走査する工程、及び一つ以上のベアラを確立するために一つ以上の関連するチャネルを選択する工程を更に有しても良い。
【００２０】
本発明の他の特徴及び任意のフィーチャーが、従属された請求項にある。ここで、それら請求項の参照がなされるべきであり、該請求項の開示物はここに参照により組み込まれる。
【００２１】
【本発明を実施するための最良の形態】
ここで、本発明を、添付の図を参照して例示としてのみ述べる。
【００２２】
本発明を詳細に述べる前に、従来技術のシステム及びそれらシステムに関連付けられる問題をより深く掘り下げて考えるために役立つ背景を提供する。先に述べたように、最強のRFPを選択するプロシージャの一つは、PPがDECTシステムのチャネルを監視し、チャネルの無線信号の強さの順位付けリストを構築することである。
【００２３】
このプロシージャに伴う一つの問題が、ありうるDECTチャネルの総数よりも少ない数のエントリを持つ順位付けリストを用いる場合に生じる。各エントリは特定のチャネルに関連するため、リストに記憶することができるチャネル数は限定され、それ故、リストに現れる何れのチャネルも所要のFPの伝送に対して用いられるという保証はない。この問題は、図１を参照する一例のシステムにおいて理解することができる。図１は、DECT通信システム１の形態の無線通信システムのいくつかの構成要素の各々のロケーションを示す。PP２が呼をなすまたは呼を受信する準備をなすために所要のFPのRFP３と同期及びロックすることが必要である状況を考える。多数のその他のPP４ａ、４ｂ．．．４ｅがトラヒックベアラをサポートするのに積極的に展開していると仮定した場合、多数のDECTチャネルが、PP４ａ、４ｂ．．．４ｅから生じる伝送を搬送しているであろう。RFP３がPP２に対するよりもこれらPP４はPP２に近いため、PP２は、RFP３から生じる伝送に対するよりもPP４の伝送に対する最大の無線信号の強さを検出するかもしれない。その場合、PP４の伝送と関連付けられるチャネルがRFP３の伝送と関連付けられるチャネルの上位で順位付けリストに現れ、実際のところ、RFP３の伝送と関連付けられるチャネルは順位付けリストに現れないかもしれない。更に、所要のFPに接続されないRFP５等のRFPがRFP３よりもPP２に近い可能性があり、RFP５等のそれらRFPからの伝送と関連付けられるDECTチャネルは、RFP３からの伝送と関連付けられるDECTチャネルよりも順位付けリストにおいてより上位に現れるであろう。
【００２４】
この問題に対する一つの可能な解決策は、最大音のものが第１位であるようにして全てのDECTチャネルがリストに現れるようにチャネルの順位付けリストを網羅的に作成することである。残念なことに、これは、かなり多量のメモリを用いる必要があると言う結果になる。これは、リストの各エントリに対して最低２バイトのメモリを必要とする実施を考えた場合明らかになる。一方のバイトは無線信号の強さのインジケータ(RSSI)を含み、他方のバイトはチャネル指定(channel designation)を含むであろう。１０以上の標準DECT周波数がシステムにより用いられる場合、２５６以上のDECTチャネルがあるであろうからチャネル指定は２バイトで記憶されなければならない。データがリンクされたリストに記憶される場合、付加的なバイトが、リンクを維持するためにリストのエントリ毎に必要とされる。受信した無線信号の強さによりチャネルをソートするという要件はまた、幾らかの処理を必要とするかもしれない。
【００２５】
最も静かなチャネルの順位付けリストにフィーチャーされたDECTチャネルにトラヒックベアラをセットアップするプロセスも、リストが限定された数のエントリを含む場合に不利な点を持つ。PPが同期されロックされるRFPは、トラヒックベアラをセットアップするために用いられるべきではない特定のチャネルを示すブラインドスロット情報をブロードキャストすることができる。多数のチャネルが実際のところ静かであり、故に、潜在的にベアラを搬送するのに適しているとPPが決定し、次いで、RFPが、それらチャネルの全てがブラインドであることを示す場合、PPは、静かなチャネルのリストが更新されるまでトラヒックベアラを確立することができないであろう。
【００２６】
ここで、図２及び本発明の実施例を参照すると、DECT携帯部(PP)２の形態のモバイル通信局に、複数のシステムチャネルに対する無線信号の強さの記録を維持する装置２０が設けられている。この装置は、測定した信号の強さを記憶する二次元記憶アレイ２１、行アドレス指定手段２２、列アドレス指定手段２３、チャネル走査手段２４及びマイクロプロセッサ２５を含む。マイクロプロセッサは走査手段２４並びに記憶手段２１、２２及び２３を制御するように働くが、当該装置は、専用のマイクロプロセッサを持たずに機能するように設計されても良く、該プロセッサの各機能が、当業者にとって明らかであるように、PP内の他のプロセッサケイパビリティ(processor capability)により扱われても良い。二次元アレイは、図３においてより詳細に表されていて、該アレイの各行は、DECT周波数チャネルに対応して割り当てられ、該アレイの各列は、DECTタイムスロットに対応して割り当てられている。
【００２７】
携帯部２は、チャネル走査手段２４を用いて各DECTチャネルを走査し、携帯部２において検出される各チャネルの無線信号の強さを測定する。DECT物理チャネル（DECTチャネル)がDECT周波数及びDECTタイムスロットの観点から規定される。検出した信号の強さに関する値は、値が各DECTチャネルに対して導入されるまでに各物理チャネルに対して割り当てられる特定のロケーションにおいてアレイ内に導入される。各チャネルに対する値が、各々に割り当てられたロケーションに記憶されるので、DECTチャネルのアイデンティティに関する付加的な情報を記憶する必要はない。（この情報は、アレイの記憶ロケーションから得ることができる。）各チャネルに対して記憶された値は、１バイト未満の記憶空間しか占有しないであろう。
【００２８】
携帯部２がアクセス権を持っているFPに該携帯部が同期及びロックすることを試みている状況を考える。PP２は、最大限に有効の無線信号通信も与えるであろう上記FPのRFPを介してそうすることを試みる。図１の一般的な配置の観点から、所要のRFPはRFP３であり、RFP５はPP２がアクセス権を持たないPPに属しているものと仮定する。PPは、各DECTチャネルを次々に走査し、各チャネルの受信した無線信号の強さを決定し、アレイ２１の適宜のロケーションに値を導入する。RFP３が、DECT周波数チャネル番号６のスロット番号１９を占有するDECTチャネルで送信している場合、このDECTチャネルに対する受信した無線信号の強さを表す値は、前記アレイのロケーション１３に導入される。同様に、RFP５が、DECT周波数チャネル番号４のスロット番号１２を占有するDECTチャネルで送信している場合、このDECTチャネルに対する受信した無線信号の強さを表す値は、アレイ２１のロケーション１５に導入される。PP４ａ、４ｂ．．．４ｅがDECTチャネルで送信している場合、それらのチャネルに対する結果として受信した無線信号の強さも、アレイの適宜のロケーションにおける値により表されるであろう。これらのロケーションは、図３において、本例に対して任意に選択された１４ａ、１４ｂ．．．１４ｅとして各々示されている。
【００２９】
動作時、DECT伝送は、PP２により、本例に対して選択されたもの以外のその他のDECTチャネルで検出されるかもしれない。実際のところ、多くのチャネルで検出された無線信号の強さは、バックグラウンドノイズに対応するかもしれない。無線信号の強さは、非DECTシステムの伝送、ましてただのノイズの伝送に起因するチャネルで検出されるかもしれない。幾つかのチャネルでは、検出した値が、ノイズの底値(noise floor)を超えないかもしれない。
【００３０】
一度受信した無線信号の強さを表す値が各DECTチャネルに対するアレイの適宜のロケーションに導入されると、PPは、最大の無線信号の強さを提供するであろう、該PPがアクセス権を持つFPに接続されているRFPを検出することを開始する。PPは、アレイを走査することにより、最大の受信した無線信号の強さに関する値を見つけ出すことを開始する。関連付けられたチャネルを、アレイ内の位置から得ることができ、PPは、実際のところ所要のRFPが当該チャネルで送信しているかどうかを決定するために、該チャネルに同期ベアラをセットアップすることを試みる。そうではない場合が確立されると、（セットアップの試みが成功した場合）同期ベアラは開放され、選択手段が、アレイを走査し、次に大きな受信した無線信号の強さに関する値を見つけ出す。PPは、この値と関連付けられるチャネルに同期ベアラをセットアップすることを試み、このプロセスは、所要のFPの一部である最も近傍のRFPが見つけ出されるまで、漸進的に低い検出した無線信号の強さを持つチャネルに対して繰り返される。同期ベアラをセットアップすることは、DECTチャネル上の如何なるNチャネル情報を及びQチャネル情報を読み出すことを可能にする。PPは、セットアップしているベアラを通じてシステムの固定部に呼をなす又は呼を受信する準備が整った状況にある状態を達成するための更なるプロシージャを実行しても良い。ある無線信号の強さを超える無線信号の強さを表す値のみが走査中に選択されるような状況を設定することが望ましいかもしれない。
【００３１】
PPがトラヒックベアラをセットアップするために一つ以上のDECTチャネルを必要とする場合、アレイは、最小の検出した無線信号の強さを表す値に対して走査される。低い検出した無線信号の強さは、これらのチャネルがトラヒックベアラとしての使用に対して自由（free）であることを示している。これらの値と関連付けられるチャネルは、アレイ内の値の位置から決定されても良い。ある閾値より低い検出した無線信号の強さに対応する値のみが選択されるような状況が設定されても良い。他の例においては、最小からN個の値が選択されても良い。ここで、Nは所定の数である。
【００３２】
一度PPがRFPに同期されロックされると、如何なる時もあるスロットがブラインドであることをRFPが指示する場合は、該PPは、静かなチャネルを選択する場合アレイ内のこれらのスロットを無視することができる。更に、一度PPが実際のところ特定のRFPに同期されロックされると、該PPは、各DECTチャネルを周期的に走査し、各チャネルの受信した無線信号の強さを検出し、アレイに記憶された値を更新することを継続する。これは、とりわけ、PPが、該PPにおいて検出される無線信号の強さに影響を及ぼすであろう、様々なRFPにより近づくように移動したり、離れるように移動することができる、モバイルである場合に重要である。更新された値に依存して、PPは、異なるRFPと同期しロックしても良い。
【００３３】
本例は、個々のDECT周波数チャネル番号を順にアレイの行に割り当て、個々のタイムスロットをアレイの列に割り当てたが、これは本発明の必要条件ではなく、アレイのロケーションとシステムの通信チャネルとの如何なる好ましい関連付けを実施しても良い。アレイは二次元アレイである必要は無く、一次元又は三次元の記憶アレイの他の配列を実施することもできるであろう。特定の実施例は、たった1バイトの記憶容量しか用いないでチャネルの受信した無線信号の強さを表す各値を記憶することができるが、これは必須ではない。チャネルの受信した無線信号の強さを表す値は、より小さい又はより大きい大きさを持つ、それ故、記憶容量の適宜の量を必要とするエントリ内に記憶することが可能であろう。本発明の重要な利点は、チャネル識別子情報の記憶のための付加的な記憶容量を用いる必要がないことである。なぜなら、この情報は、アレイ内のエントリの位置から暗黙的であるからである。
【００３４】
更に、本発明は、主としてDECTテレコミュニケーションシステムに関して論じられたが、本発明は、複数の予め規定されたシステムのチャネルを用いる他の通信システムにおいて実施されても良いので、上記のことは限定用件として構築されないと言うことが理解されるであろう。
【００３５】
本開示を読むことにより、他の変形例が、当業者にとって明白であろう。そのような変形例は、システム、装置及びそれらの構成部品の設計、製造及び使用において公知であり、ここに記載の特徴に代えて又は付加的に用いることができる、他の特徴を含んでも良い。
【図面の簡単な説明】
【図１】  本発明のホストとして働くことができる典型的なDECT通信システムの選択された構成要素の各々のロケーションを示す。
【図２】  本発明の装置を概略的に表したものである。
【図３】  本発明で用いるのに適した形式の二次元アレイを示す。
【符号の説明】
１  通信システム
２  携帯部(PP)
３  無線固定部(RFP)
４  他の携帯部(PP)
５  無線固定部(RFP)
１３  ロケーション
１４  ロケーション
２０  信号の強さの記録を維持する装置
２１  記憶アレイ
２２  行アドレス指定手段
２３  列アドレス指定手段
２４  チャネル走査手段
２５  マイクロプロセッサ
【図１】
0004495861.tif 000002
【図２】
0004495861.tif 000003
【図３】
0004495861.tif 000004